(57)【要約】【課題】主ローラコンベヤで搬送されてきた物品を仕分けて一時的に仮置きできる副コンベヤを主ローラコンベヤの側方に移載作業の邪魔にならないように配置することができ、さらに、仕分けした物品の主ローラコンベヤから副コンベヤへの移載作業がたやすくできるコンベヤ式仕分装置を提供すること。【解決手段】コンベヤ式仕分装置１は、主ローラコンベヤ２の側方に副コンベヤ７を並列配置して構成する。この副コンベヤ７は、下部にキャスター１２を備え、主ローラコンベヤ２の下方を潜って左右いずれの側方にも適宜移動配置が可能であることにより、主ローラコンベヤ２の任意の片側にのみ並列配置される。【選択図】図１
2005231811.tif 000002
【特許請求の範囲】
【請求項１】
主ローラコンベヤで搬送されきた物品を、搬送方向と直交する左右いずれかの方向に仕分けて送出し、該主ローラコンベヤの側方に並列配置されている副コンベヤに移載するコンベヤ式仕分装置において、
前記副コンベヤの下部にはキャスターが備えられ、該副コンベヤは、前記主ローラコンベヤの下方を潜って左右いずれの側方にも適宜移動配置が可能であることを特徴とするコンベヤ式仕分装置。
【請求項２】
前記主ローラコンベヤの左右両側端部には、回転自在の乗継ぎ用ローラが設けられていることを特徴とする請求項１に記載のコンベヤ式仕分装置。
【発明の詳細な説明】
【技術分野】
【０００１】
本発明は、主ローラコンベヤで搬送されきた物品を、搬送方向と直交する左右いずれかの方向に仕分けて送出し、この主ローラコンベヤの左右いずれかの側方に適宜移動して並列配置された副コンベヤに移載するコンベヤ式仕分装置に関する。
【背景技術】
【０００２】
従来、流通センターあるいは工場内においては、各種の物品を送付先毎あるいは送付部署毎に各種仕分け設備によって仕分けている。このような場合に使用されるコンベヤ式仕分装置の一例として、搬送コンベヤで搬送されてきた物品を仕分け先毎に振り分けて、搬送コンベヤの左右に設置されているシュートに排出するコンベヤ式仕分装置が知られている（特開平９−２６５３号公報；特許文献１）。
【０００３】
前記コンベヤ式仕分装置は、前記特開平９−２６５３号公報の段落番号００２６，００２７に図４の説明として記載されているように、搬送コンベヤの上流側で、搬送コンベヤの幅方向中央位置より、左寄りもしくは右寄りに物品を手作業で載置し、搬送コンベヤ上に載置された物品が下流側に配置されている仕分け機構の位置まで搬送されてくると、物品は仕分け機構の払出ベルト及び送出ベルトにより左右いずれかのシュートへ排出するようにしたものである。
【特許文献１】特開平９−２６５３号公報
【発明の開示】
【発明が解決しようとする課題】
【０００４】
従来のコンベヤ式仕分装置は、仕分け機構により物品を搬送コンベヤの左右に配置されているシュートへ排出するものであるが、仕分け機構を設けないで、作業者が手作業により物品を仕分けて搬送コンベヤから送り出す場合、搬送物品の数量が増加してくると処理しきれなくなって、搬送コンベヤの下流側に物品が搬送されてしまい、再度作業者により物品を運び戻すなどの手間がかかり、また、多量の搬送物品を処理するためには、搬送コンベヤの機長を長くしなければならない、などという問題がある。かかる問題は、搬送コンベヤである主コンベヤの側方に、仮置きしてさらに物品の仕分け作業ができる副コンベヤを隣接して配置することにより解決される。しかし、搬送コンベヤである主コンベヤの左右両側に副コンベヤが配置されていると、作業者が物品を反対側にある副コンベヤに押出して移載する際、作業者の側にある副コンベヤが移載作業の邪魔になる、という問題があり、また、主コンベヤの左右両側に副コンベヤが配置されていると、その分スペースが多く必要になる、という問題がある。
【０００５】
そこで、本発明は、前述したような従来技術の問題点を解決し、主ローラコンベヤで搬送されてきた物品を仕分けて一時的に仮置きできるように、該主ローラコンベヤの側方に副コンベヤを配置する場合、副コンベヤが移載作業の邪魔にならないようにすることができると共に、副コンベヤの配置による不使用スペースの増大が生じないようにすることができ、さらに、仕分けした物品の主ローラコンベヤから副コンベヤへの移載作業がたやすくできるコンベヤ式仕分装置を提供することを目的とする。
【課題を解決するための手段】
【０００６】
前記問題を解決するために、請求項１に係る本発明は、主ローラコンベヤで搬送されてきた物品を、搬送方向と直交する左右いずれかの方向に仕分けて送出し、該主ローラコンベヤの側方に並列配置されている副コンベヤに移載するコンベヤ式仕分装置において、前記副コンベヤの下部にはキャスターが備えられ、該副コンベヤは、前記主ローラコンベヤの下方を潜って左右いずれの側方にも適宜移動配置が可能であるコンベヤ式仕分装置、という構成としたものである。
【０００７】
請求項２に係る本発明は、前記請求項１のコンベヤ式仕分装置において、前記主ローラコンベヤの左右両側端部には、回転自在の乗継ぎ用ローラが設けられている、という構成としたものである。
【発明の効果】
【０００８】
請求項１に係る本発明のコンベヤ式仕分装置によれば、副コンベヤが主ローラコンベヤの下方を潜って左右いずれの側方にも適宜移動配置が可能であるので、物品を送出する側に副コンベヤを容易に適宜並列配置することができ、作業者が作業する側から反対側に物品を押出して仕分け作業をする際、作業の邪魔になる副コンベヤを配置しないようにすることができ、その結果、移載作業をたやすく行なうことができる。また、作業者は主ローラコンベヤに接近して仕分け作業ができると共に、作業者の後方には大きなスペースが確保でき、台車や人の通行が可能となる。
【０００９】
請求項２に係る本発明によれば、前記コンベヤ式仕分装置において、前記主ローラコンベヤの左右両側端部には、回転自在の乗継ぎ用ローラが設けられているので、物品が送出される側の反対側にいる作業者が物品を押出して仕分け作業する際、乗継ぎ用ローラがフリー回転できるため、副コンベヤに物品を移載し易くなり物品の移載作業をたやすく行なうことができる。
【発明を実施するための最良の形態】
【００１０】
本発明のコンベヤ式仕分装置は、副コンベヤを主ローラコンベヤの下方を潜らせて適宜移動可能とし、主ローラコンベヤの左右いずれの側方にも、副コンベヤを任意に並列配置できるようにしたものである。
【実施例】
【００１１】
本発明の実施例を図１〜図３に基づいて説明する。図１はコンベヤ式仕分装置１の使用態様を示す斜視図、図２はコンベヤ式仕分装置１の正面図、図３は乗継ぎ用ローラ５の配置状態を示す要部拡大図である。
【００１２】
コンベヤ式仕分装置１は、物品搬送用コンベヤである主ローラコンベヤ２と、この主ローラコンベヤ２の下方を潜って左右いずれの側にも移動させて配置することができる副コンベヤ７とからなる。なお、図１中の符号１３は仕分けられた物品Ｗを入れるかご台車である。
【００１３】
主ローラコンベヤ２は、フレーム３に回転自在に支持された複数のフリーローラ４と、適宜間隔をあけて設けられた駆動ローラ４ａとで構成され、主ローラコンベヤ２の左右両側端部の各フレーム３には、副コンベヤ７に物品を移載し易くする回転自在の乗継ぎ用ローラ５がそれぞれ取付けられている（図３参照）。なお、図１中の符号６は、主ローラコンベヤ２に備えられている支柱である。
【００１４】
副コンベヤ７は、フレーム８間に回転自在に支持されたフリーローラ９により構成された２組のローラコンベヤ７ａ、７ｂ（図２参照）が並列して組み合わされたもので、副コンベヤ７は、主ローラコンベヤ２の幅の２倍幅のものである。副コンベヤ７のフリーローラ９は、主ローラコンベヤ２のフリーローラ４あるいは駆動ローラ４ａと略々同じ長さである。この副コンベヤ７は、主ローラコンベヤ２の幅の略々２倍の長さを有する２つのフレーム１０（図２参照）と、フリーローラ９を支持している４つのフレーム８とで枠組みされた枠状体からなり、この枠状体は支柱１１で支持されている。また、副コンベヤ７の下部にはキャスター１２が備えられ、この副コンベヤ７の高さは、主ローラコンベヤ２の下方を潜って移動できる程度の高さである。この場合、副コンベヤ７にガイドローラなどのガイド部材（図示略）を取付けると共に、主ローラコンベヤ２のフレーム１０にガイドレール（図示略）を取付け、主ローラコンベヤ２の下方を潜って移動する副コンベヤ７をガイドするようにしてもよい。
【００１５】
上記のように構成されたコンベヤ式仕分装置１の作用、効果は次のとおりである。まず、搬送されてきた物品Ｗが作業者により送り出される側に、副コンベヤ７を全幅の半分、例えばローラコンベヤ７ａだけ突出するように移動して主ローラコンベヤ２と並列に配置する（図２参照）。この場合、作業者は図１に示すように、副コンベヤ７の配置されていない側で作業する。主ローラコンベヤ２の上流側から搬送されてきた物品Ｗは、仕分け先毎に作業者の手作業により押出されて、乗継ぎ用ローラ５を介して副コンベヤ７上に移載される。このように、副コンベヤ７上に移載されて仮置きされた物品Ｗは、さらに作業者により仕分け先毎にかご台車１３に入れられる。
【００１６】
また、上記とは反対の側に物品Ｗを仕分けて送り出す場合は、主ローラコンベヤ２の反対側に副コンベヤ７を潜らせて移動し、主ローラコンベヤ２の側方に並列配置して上記と同様の仕分け作業が行なわれる。
【００１７】
前記のように、コンベヤ式仕分装置１は、副コンベヤ７が主ローラコンベヤ２の下方を潜って左右いずれかの側方に適宜移動配置が可能であるので、物品Ｗを送出する側に副コンベヤ７を容易に並列配置することができ、作業者がその反対側から物品Ｗを押出して仕分けする際、作業の邪魔になる副コンベヤ７がないため、移載作業をたやすく行なうことができる。それと同時に、副コンベヤ７には仕分けた物品Ｗを仮置きすることができるので、多量の物品Ｗが搬送されてきても、仕分けきれずに主ローラコンベヤ２の下流側に搬送されてしまわないようにすることができる。また、作業者は主ローラコンベヤ２に接近して作業ができると共に、作業者の後方には大きなスペースが確保でき、台車や人の通行が可能となる。
【００１８】
また、主ローラコンベヤ２の左右両側端部には、回転自在の乗継ぎ用ローラ５が設けられているので、物品Ｗが送出される側の反対側にいる作業者が物品を押出して仕分けする際、乗継ぎ用ローラがフリー回転できるため、副コンベヤに物品を移載し易くなり物品の移載作業をたやすく行なうことができる。
【００１９】
以上、実施例として、副コンベヤ７が２組のローラコンベヤ７ａ，７ｂで構成されているものについて説明したが、副コンベヤを主ローラコンベヤの２倍の幅に相当する長いフリーローラで１組のローラコンベヤとして構成してもよく、また、副コンベヤを主ローラコンベヤの幅と同じ幅にして、幅の狭い１組のローラコンベヤで構成してもよい。さらに、副コンベヤとしては、ローラコンベヤの代わりに、プレート上面にフリーボールベアリング（特開平７−１６４０７８号公報参照）を多数設置した板状コンベヤ、短いローラを多数並べたそろばん状のコンベヤなどを使用しても構わない。
【図面の簡単な説明】
【００２０】
【図１】本発明の実施例を示し、コンベヤ式仕分装置の使用態様を示す斜視図である。
【図２】同上、コンベヤ式仕分装置の正面図である。
【図３】同上、乗継ぎ用ローラの配置状態を示す要部拡大図である。
【符号の説明】
【００２１】
１      コンベヤ式仕分装置
２      主ローラコンベヤ
３      フレーム
４      フリーローラ
４ａ    駆動ローラ
５      乗継ぎ用ローラ
６      支柱
７      副コンベヤ
７ａ、７ｂ    ローラコンベヤ
８      フレーム
９      フリーローラ
１０    フレーム
１１    支柱
１２    キャスター
１３    かご台車
【図１】
2005231811.tif 000003
【図２】
2005231811.tif 000004
【図３】
2005231811.tif 000005